(57)【要約】【課題】  パワーモニタに対するレーザ光の光軸ずれを低減し、好適な観察ができる眼科撮影装置を提供する。【解決手段】  波長の異なるレーザ光を出射する光源部とレーザ光を２次元的に走査する走査部とを有する照射光学系と、反射光を受光する受光素子を持つ受光光学系とを有し、眼底画像を得る眼科撮影装置で、レーザ光の一部を偏向するビームスプリッタと、偏向方向に配置されレーザ光の波長毎に対応して用意される複数のダイクロイックミラーと、レーザ光をそれぞれ受光するパワーモニタと、パワーモニタに入射するレーザ光の偏角発生要素からレンズ系設置位置までの距離をａ１，レンズ系設置位置からパワーモニタまでの距離をａ２、レーザ光のビーム半径をｒとするとき、下記式    f ≧ a2(a2+r)/[ 2(a1+a2+r) ]にて表される焦点距離ｆを持つレンズ系が配置される。【選択図】      図２
2010200898.tif 000002
【特許請求の範囲】
【請求項１】
波長の異なる照明光をそれぞれ出射する光源部と，前記照明光を眼底に対して２次元的に走査する走査部とを有する照射光学系と、前記眼底からの照明光の反射光を受光するための受光素子を持つ受光光学系と、を有し、該受光素子の受光信号に基づいて眼底画像を得る眼科撮影装置において、
前記光源部と前記走査部との間の光路に配置され前記照明光の一部を偏向するビームスプリッタと、
該ビームスプリッタの偏向方向に配置されるダイクロイックミラーであって，前記光源部から出射される照明光の波長毎に対応して用意される複数のダイクロイックミラーと、
該ダイクロイックミラーにより波長毎に分割された照明光をそれぞれ受光する複数のパワーモニタと、
前記ビームスプリッタと前記ダイクロイックミラーの間の光路に配置されるレンズ系であって、前記パワーモニタに入射する照明光の偏角発生要素から前記レンズ系設置位置までの距離をａ１，前記レンズ系設置位置から前記パワーモニタまでの距離をａ２、照明光のビーム半径をｒとするとき、下記式（１）
f ≧ a2(a2+r)/[ 2(a1+a2+r) ]     ・・・（１）
にて表される焦点距離ｆを持つレンズ系が配置されることを特徴とする眼科撮影装置。
【請求項２】
請求項１の眼科撮影装置において、前記偏角発生要素は前記ビームスプリッタであり，前記距離ａ２を規定する前記パワーモニタは前記レンズ系に最も近くに位置するパワーモニタであることを特徴とする眼科撮影装置。
【請求項３】
請求項２の眼科撮影装置は、前記光源部から出射される前記照明光を絞るための開口を有するホールミラーを有し、
前記走査部は、前記ホールミラーを通過した前記照明光を走査し、
前記ビームスプリッタは、前記ホールミラーから前記走査部の間の光路上に配置される
ことを特徴とする眼科撮影装置。
【請求項４】
請求項３の眼科撮影装置において、
前記集光レンズは、前記複数のパワーモニタのうち一つのパワーモニタと前記ホールミラーとを略共役とすることを特徴とする眼科撮影装置。
【発明の詳細な説明】
【技術分野】
【０００１】
本発明は、被検者眼の眼底を照明光で走査して眼底観察を行う眼科撮影装置に関する。
【背景技術】
【０００２】
従来、ポリゴンミラーとガルバノミラーからなる走査手段を用いて眼底に対して２次元的に照明光を走査し、その反射を受光することにより眼底画像を得る眼科撮影装置（走査型レーザ検眼鏡）が知られている（例えば、特許文献１参照）。このような装置では、眼底に対して好適な出力のレーザ光を照射させるため、レーザ光の出力をモニタする構成（パワーモニタ）を備えている。また、パワーモニタは、レーザ光源の故障検出する役割を兼ねている。このようなパワーモニタでは、レーザ光を絞る役割を持つホールミラーの後にレーザ光の光軸を分割する（偏向する）光学部材を配置し、分割されたレーザ光がパワーモニタの受光面に導かれるように光軸調整される。
【０００３】
また、このような装置では、様々な眼底画像を得て、診断に用いるために、波長の異なる複数のレーザ光を用いて、眼底を観察する技術が知られている（例えば、特許文献２）。
【先行技術文献】
【特許文献】
【０００４】
【特許文献１】特開２００５−２７９１２２号公報
【特許文献２】特開２００７−８９９１６号公報
【発明の概要】
【発明が解決しようとする課題】
【０００５】
しかしながら、パワーモニタの受光面に導く調整は容易ではない。具体的には、パワーモニタは、コスト的な面や装置の小型化の面から、サイズを大きくできない。このため、受光面が小さくなってしまい、受光面に照明光であるレーザ光を入射させる調整が難しくなる。また、このような軸調整を行った後でも、装置の使用中に、レーザ光の偏角が起こる場合がある。例えば、筐体内の温度上昇により光学部材やその保持部材が熱膨張し、レーザ光が偏角されてしまうことがある。
【０００６】
さらに、特許文献２に示されるように、レーザ光源を複数用いる場合、各波長のレーザ光毎にパワーモニタを用意する必要があり、光源とパワーモニタとの距離が遠くなればなるほど、途中の光学部材によるレーザ光の偏角の影響が大きくなり、レーザ光が受光面から外れてしまう問題が起こり易くなってしまう。
【０００７】
本発明は、上記問題点を鑑み、波長の異なる複数の照明光を用いる場合に、それぞれのパワーモニタに対する照明光の光軸ずれを低減し、好適な観察ができる眼科撮影装置を提供することを技術課題とする。
【課題を解決するための手段】
【０００８】
上記課題を解決するために、本発明は以下のような構成を備えることを特徴とする。
（１）  波長の異なる照明光をそれぞれ出射する光源部と，前記照明光を眼底に対して２次元的に走査する走査部とを有する照射光学系と、前記眼底からの照明光の反射光を受光するための受光素子を持つ受光光学系と、を有し、該受光素子の受光信号に基づいて眼底画像を得る眼科撮影装置において、前記光源部と前記走査部との間の光路に配置され前記照明光の一部を偏向するビームスプリッタと、該ビームスプリッタの偏向方向に配置されるダイクロイックミラーであって，前記光源部から出射される照明光の波長毎に対応して用意される複数のダイクロイックミラーと、該ダイクロイックミラーにより波長毎に分割された照明光をそれぞれ受光する複数のパワーモニタと、前記ビームスプリッタと前記ダイクロイックミラーの間の光路に配置されるレンズ系であって、前記パワーモニタに入射する照明光の偏角発生要素から前記レンズ系設置位置までの距離をａ１，前記レンズ系設置位置から前記パワーモニタまでの距離をａ２、3照明光のビーム半径をｒとするとき、下記式（１）
f ≧ a2(a2+r)/[ 2(a1+a2+r) ]     ・・・（１）
にて表される焦点距離ｆを持つレンズ系が配置されることを特徴とする。
（２）  （１）の眼科撮影装置において、前記偏角発生要素は前記ビームスプリッタであり，前記距離ａ２を規定する前記パワーモニタは前記レンズ系に最も近くに位置するパワーモニタであることを特徴とする。
（３）  （２）の眼科撮影装置は、前記光源部から出射される前記照明光を絞るための開口を有するホールミラーを有し、前記走査部は、前記ホールミラーを通過した前記照明光を走査し、前記ビームスプリッタは、前記ホールミラーから前記走査部の間の光路上に配置されることを特徴とする。
（４）  （３）の眼科撮影装置において、前記集光レンズは、前記複数のパワーモニタのうち一つのパワーモニタと前記ホールミラーとを略共役とすることを特徴とする。
【発明の効果】
【０００９】
本発明によれば、波長の異なる複数の照明光を用いる場合に、それぞれのパワーモニタに対する照明光の光軸ずれを低減し、好適な観察ができる。
【発明を実施するための形態】
【００１０】
本発明の実施の形態を図面を用いて説明する。図１は、眼科撮影装置の一実施形態である走査型レーザ検眼鏡の光学系を示した図である。走査型レーザ検眼鏡は、観察用のレーザ光（照明光）を眼底に対して２次元的に走査するレーザ走査部５０を備え、光源部１００から出射されるレーザ光を眼底へと照射する照射光学系６０と、眼底で反射されたレーザ光をレーザ走査部５０を介して受光する受光光学系７０と、に大別される。
【００１１】
被検者眼の眼底を照明するための観察用のレーザ光は、光源部１００により出射され、照射光学系６０にて眼底へと照射される。本実施形態では、光源部１００は、４つの異なる波長の照明光（ここでは、レーザ光）をそれぞれ出射可能な構成とされる。具体的には、近赤外域のレーザ光（例えば、波長λ＝７９０ｎｍ）を発する半導体レーザ光源（ＬＤ）１０１、赤色のレーザ光（例えば、波長λ＝６５０ｎｍ）を発する半導体レーザ光源１０２、緑色のレーザ光（例えば、波長λ＝５３２ｎｍ）を発する半導体レーザ光源１０３、青色のレーザ光（例えば、波長λ＝３５０ｎｍ）を発する半導体レーザ光源１０４、とを備える。なお、照明光はレーザ光に限るものではない。光源としては、ＳＬＤ（Super Luminescent Diode）を用いてもよい。
【００１２】
それぞれの光源の出射光軸上には、ダイクロイックミラー又はミラーがそれぞれ配置されて、各々のレーザ光が同軸とされる。具体的には、光源１０１の前方には近赤外光を透過し他の波長の光（可視光）を反射するダイクロイックミラー１０５が、光源１０２の前方には赤色光を反射し赤色より波長の短い色（緑色、青色）の光を透過するダイクロイックミラー１０６が、光源１０３の前方には緑色光を反射し緑色より波長の短い色（青色）の光を透過するダイクロイックミラー１０７が、光源１０４の前方には青色光を反射するミラー１０８が、それぞれ配置されている。なお、ミラー１０８は、青色光を反射するダイクロイックミラーであってもよい。
【００１３】
これらのダイクロイックミラー（１０５〜１０８）は、各レーザ光源の光軸をそろえるようにレーザ光の光軸に対して反射面が４５度の角度を持つように配置され、図示するように、各レーザ光は、ダイクロイックミラー１０５を透過又は反射されて、光源部１００から出射されるレーザ光の光軸Ｌ１に合せられる。光軸Ｌ１は、照射光の光軸となる。このようにして同軸とされたそれぞれのレーザ光は、照射光学系６０の光学部材により眼底へと導光される。
【００１４】
なお、光源１０１〜１０４は、それぞれレーザ光を出射する制御を受ける。このため、光源部１００からは、複数の異なる波長を含むレーザ光が出射されたり、特定の波長のレーザ光が出射される。なお、本実施形態では光源部１００から４種類のレーザ光を出射させるものとしているが、これに限るものではなく、２以上の複数のレーザ光を出射させるものであればよい。
【００１５】
照射光学系６０は、光源部１００、中央に開口部を有するホールミラー（穴開きミラー）２、レンズ３、ミラー４及び５、凹面ミラー６、８及び１０、ポリゴンミラー７、ガルバノミラー９を備える。ホールミラー２は、光軸Ｌ１のレーザ光のビーム径を絞る役割を備える。ミラー４、５は、図１に示す矢印方向（光軸方向）に移動可能とされ、光路長を変化させることによりフォーカス合せ（視度補正）を行うことができる。ポリゴンミラー７は、レーザ光を被検者眼眼底に対して水平方向に走査させるための光学部材であり、ガルバノミラー９は、ポリゴンミラー７による走査方向に対して垂直方向にレーザ光を走査させる役目を果たす。これらの光学部材によって、光源部１００から出射されたレーザ光を被検者眼眼底に対して２次元的に走査するためのレーザ光走査部５０が構成される。
【００１６】
また、照射光学系６０には、眼底へと照射されるレーザ光の出力をモニタするためのパワーモニタ部１５０が設けられている。パワーモニタ部１５０は、レーザ光の一部を分割（偏向）するビームスプリッタ１５１と、分割されたレーザ光を受光する光学系を備える受光部１６０とを備える。光軸Ｌ１上のビームスプリッタ１５１は、レーザ光走査部５０にてレーザ光が走査される前にレーザ光を受光部１５０へと導く光学部材である。また、ビームスプリッタ１５１は、複数のレーザ光が同軸とされた光軸Ｌ１上で、かつレーザ光のビーム径が絞られたホールミラー２以降に配置される。このような位置に配置されることにより、受光部１６０には、眼底に照射されるレーザ光の一部が入射されることとなる。なお、本実施形態では、ビームスプリッタ１５１はホールミラー２とレンズ３の間に配置される。また、ビームスプリッタ１５１は、レーザ光をほとんど透過させ、一部のレーザ光を反射する特性（例えば、４％の反射率）を持つ。なお、ビームスプリッタ１５１では、表面と裏面で４％ずつのレーザ光が反射されるため、全体として、ホールミラー２を通過した光の８％が受光部１６０へと導光されることとなる。表面及び裏面の反射により、レーザ光が二重となり、見かけ上、レーザ光のビーム径が大きくなる。
【００１７】
光源部１００から出射されたレーザ光は、ホールミラー２の開口部を通り、レンズ３を介した後、ミラー４、ミラー５、凹面ミラー６にて反射され、ポリゴンミラー７に向かう。ポリゴンミラー７にて反射された光束は、凹面ミラー８、ガルバノミラー９、凹面ミラー１０にて反射された後、被検者眼眼底に集光され、眼底上を２次元的に（図示するＸＹ軸方向に）走査される。
【００１８】
次に、受光光学系７０の構成を説明する。受光光学系７０は、照射光学系６０の凹面ミラー１０からホールミラー２までを共用し、レンズ１２、光軸上にピンホールを有したピンホール板１３、集光レンズ１４、赤外域から可視光域に感度を持つ受光素子１５を備える。なお、ピンホール板１３は、被検者眼眼底の観察点（撮影点）と共役な位置に配置されている。また、本実施形態の受光素子１５には、光源部１００から出射される４つの異なる波長のレーザ光を受光可能（検知可能）なＡＰＤ（アバランシェフォトダイオード）を用いる。
【００１９】
被検者眼の眼底に走査されたレーザ光の反射光は、前述した照射光学系６０を逆に辿り、ホールミラー２にて反射し、図中では下方に折り曲げられる。なお、被検者眼の瞳位置とホールミラー２の開口部とは、レンズ３、凹面ミラー６，８，１０により共役となっている。ホールミラー２にて反射した反射光は、レンズ１２を介してピンホール板１３のピンホールに焦点を結ぶ。ピンホールにて焦点を結んだ反射光は、集光レンズ１４を経て受光素子１５に受光される。
【００２０】
次に、パワーモニタ部１５０の構成を説明する。図２は、パワーモニタ部１６０周辺を拡大した模式図である。ここでは、ビームスプリッタ１５１により光軸Ｌ１から分割されたレーザ光の光軸をＬ２とする。
【００２１】
光軸Ｌ２上のレーザ光は、レーザ光の各波長に対応したダイクロイックミラー（１６５〜１６８）により波長毎に分離され、それぞれの波長のレーザ光は、レーザ光の出力を検出する受光素子（パワーモニタ）に導光される。ここで用いられる受光素子は、前述の光源部１００から出射されるレーザ光と対応し、赤外光域から可視光域に受光感度を持つフォトダイオードなどのフォトセンサとされる。この受光素子の前面にフィルタが置かれることで、各受光素子は特定の波長のレーザ光の出力をモニタできる。
【００２２】
具体的には、光源１０１が出射する赤外域のレーザ光を受光有する受光素子１６１、光源１０２が出射する赤色のレーザ光を受光する受光素子１６２、光源１０３が出射する緑色のレーザ光を受光する受光素子１６３、光源１０４が出射する青色のレーザ光を受光する受光素子１６４、が用意されている。
【００２３】
光軸Ｌ２上に配置されるダイクロイックミラー１６５は、前述の赤外域の光を反射し、その他の波長の光を透過する特性を持ち、光軸Ｌ２上のレーザ光軸を受光素子１６１の受光面へと導光（分割、偏向）する。このとき、赤外光を透過し可視光をカットする特性を持つフィルタ１６１ａが、受光素子１６１の前方に配置されることにより、受光素子１６１は赤外光のレーザ光を受光し、その出力をモニタする。同様に、ダイクロイックミラー１６５の後段で光軸Ｌ２上に置かれるダイクロイックミラー１６６は、前述の赤色の光を反射し、赤色より波長の短い光を透過する特性を持ち、受光素子１６２に対応して配置される。このとき、受光素子１６２の前方には赤色光を透過し、赤色光より波長の短い光（緑色、青色）をカットするフィルタ１６２ａが置かれる。また、ダイクロイックミラー１６６の後段で光軸Ｌ２上に置かれるダイクロイックミラー１６７は、前述の緑色の光を反射し、緑色より波長の短い光を透過する特性を持ち、受光素子１６３に対応して配置される。このとき、受光素子１６３の前方には緑色光を透過し、緑色光より波長の短い光（青色）をカットするフィルタ１６３ａが置かれる。また、ダイクロイックミラー１６７の後段で光軸Ｌ２上に置かれるミラー１６８は、前述の青色の光を反射する特性を持ち、受光素子１６４に対応して配置される。このとき、受光素子１６４の前方には青色光を透過し、青色光より波長の短い光（紫色等のノイズ）をカットするフィルタ１６４ａが置かれる。なお、ミラー１６８は、青色光を反射するダイクロイックミラーであってもよい。
【００２４】
このように、各波長毎に受光素子を用いることにより、各受光素子が受光するレーザ光の波長を特定できる。このため、受光素子からの検出信号をモニタすることで、どの波長のレーザ光の出力かを容易に検出できる。
【００２５】
なお、以上のように同軸とされたレーザ光を長波長から分離する構成とすることで、各フィルタが得易く、コストを抑えることができる。このように、各波長に対応して受光素子を用意することにより、複数のレーザ光を同時に出射する場合でも、各波長のレーザ光のパワーがモニタできる。なお、フィルタ１６４ａは、省略することができる。例えば、ダイクロイックミラー１６５〜１６７の特性を調整し、青色のみを受光素子１６４へと導く構成とすればよい。
【００２６】
なお、各受光素子１６１〜１６４は、所定の面積の受光面を前面側に備える。本実施形態の受光面は、ホールミラー２を通過したレーザ光のビーム径の数倍程度の径を持つものとし、ホールミラー２を通過したレーザ光のビーム径は１ｍｍ程度とされ、受光面は５ｍｍ角程度とされる。なお、ホールミラー２を通過したレーザ光は、略平行とされるが、光路を経るうちに表面、裏面の反射によりビーム径が見かけ上大きくなってしまう。前述のように、光学部材（ビームスプリッタ、ダイクロイックミラー等）で反射される度に、レーザ光のスポット数が増え、パワーモニタへと向かうレーザ光のビーム径が見かけ上広がることとなる。このため、ホールミラー２から光学部材を介すると、受光面上でのレーザ光のビーム径が数ｍｍ程度となってしまう。このため、レーザ光が偏角されると、ビーム径の広がったレーザ光の一部が受光面から外れてしまいしやすくなり、パワーモニタリングの精度が低下する場合がある。なお、ダイクロイックミラー１０５〜１０８、ホールミラー２、ビームスプリッタ１５１、ダイクロイックミラー１６５〜１６８等は、その設置精度によってレーザ光を僅かに偏向（偏角）を発生させてしまう要素となる。
【００２７】
このようなレーザ光の偏角により、レーザ光がパワーモニタ部１５０の各受光素子１６１〜１６４に適切に受光されなくなるのを防ぐために、ダイクロイックミラー１６５〜１６８による光軸の分割前の光軸Ｌ２上には、レンズ（集光レンズ）１７０が配置される。レンズ１７０は、ビームスプリッタ１５１と、ビームスプリッタ１５１から最も近いダイクロイックミラー（ミラー１６５）との間に配置され、レンズ１７０はビームスプリッタ１５１を反射して受光素子に向かうレーザ光の偏角を抑制するために必要な焦点距離ｆを持つレンズである。
【００２８】
レンズ１７０は、偏角発生要素からレンズ１７０設置位置までの距離をａ１，レンズ１７０設置位置から受光素子までの距離をａ２、レンズ１７０に入射するレーザ光のビーム半径をｒとするとき、下記式（１）
f ≧ a2(a2+r)/[ 2(a1+a2+r) ]     ・・・（１）
にて表される焦点距離ｆを持つように設定されている。なお、レーザ光を使用しているため平行光であると仮定し、ビーム半径ｒはビームを絞るための部材の開口の径を用いればよい（本実施形態ではホールミラーの開口径となる）。また、偏角発生要素としてはレンズ１７０に最も近い部材が大きく影響するため、本実施形態ではレンズ１７０に最も近い光学部材であるビームスプリッタ１５１を距離ａ１を定める偏角発生要素とすることが好ましい。また、受光素子においても最もレンズ１７０に近い受光素子が大きく影響するため、距離ａ２を定める受光素子として受光素子１６１を用いることが好ましい。このように式（１）にて規定される焦点距離ｆを持つレンズ１７０によって、レーザ光の偏角が修正され、好適に各受光素子に受光されることとなる、また、レンズのパワーが弱すぎればレンズを設置しない場合との差、すなわちレンズを設置したことによる効果が小さくなってしまうことを考えれば、距離ａ１と距離ａ２の組み合わせが最大となる距離ａ１＋距離ａ２に対して、対応する偏角発生要素と受光素子とを共役にする焦点距離ｆ以下とすることが好ましい。
【００２９】
例えば、レンズ１７０は、ホールミラー２と受光素子１６２（の受光面）とを略共役な関係とするための屈折力を持ち配置される。このように特定の受光素子（１６２）とホールミラー２とが略共役とされることで、ビームスプリッタ１５１と受光素子１６２との間の光路で光軸ずれが生じても、受光素子１６２は、レーザ光を受光できる。具体的には、ホールミラー２と受光素子１６２の間で光軸がずれる場合（例えば、ビームスプリッタ１５１の設置精度が悪い場合）であっても、その光軸ずれした光路を通るレーザ光をレンズ１７０が本来の光軸（光路）上に屈折させる。このため、レーザ光が多少偏角しても受光素子１６２へと導かれ、受光素子１６２はレーザ光を受光できる。
【００３０】
また、他の受光素子１６１、１６３、１６４での受光においても、同様の作用がある。ここでは、レンズ１７０が持つ共役長は、ホールミラー２から最も近い受光素子１６１までの距離と、ホールミラー２から最も遠い受光素子１６４までの距離との中間程度であるホールミラー２から受光素子１６２までの距離程度とされている。この場合、レンズ１７０の共役長に近い程、偏角の影響を抑制できる。従って、受光素子１６２とホールミラー２までの距離を基準とした場合、ホールミラー２から距離の短い受光素子１６１、距離の長い受光素子１６３、１６４におけるレーザ光の偏角の影響が抑えられやすい。なお、本実施形態ではレンズ１７０を１枚のレンズ系として説明したが、これに限るものではなく、複数のレンズからなるレンズ系を一枚のレンズと見立てて上述した式（１）を満足させるような光学設計を行うこともできる。
【００３１】
図３は、本実施形態における走査型レーザ検眼鏡の制御系を示したブロック図である。制御部３０は、装置全体の制御を行う部材でありＣＰＵ等とされる。制御部３０には、光源部１００（光源１０１〜１０４）、ポリゴンミラー７、ガルバノミラー９、受光素子１５、ミラー４，５を駆動させるための駆動手段３１、コントロール部３２、受光素子１５にて受光した信号を基に被検者眼の眼底画像を形成するための画像処理部３３、パワーモニタ部１５０（受光素子１６１〜１６４）等が接続される。モニタ３４は、画像処理部３３にて形成された眼底画像が表示される。また、制御部３０には、種々の情報を記憶しておくための記憶部３５が接続される。なお、記憶部３５には、使用されるポリゴンミラーの反射面（ミラー）の枚数，及び眼底画像を構築するための画像ライン等の画像形成に必要な情報が記憶される。
【００３２】
以上のような構成を有する走査型レーザ検眼鏡において、その動作について説明する。検者は予め被検者眼の屈折力を眼屈折力測定装置等にて測定しておき、得られた被検者眼の屈折力値をコントロール部３２の屈折力入力部を用いて入力する。なお、視度補正は検者のフォーカシングによって対応してもよい。制御部３０は入力された屈折力データを記憶部３５に記憶させるとともに、駆動手段３１を用いてミラー４，５を駆動させて視度補正を行う。視度補正が行われた状態にて、検者は図示なきジョイスティック等を用いて装置を移動させ、被検者眼の眼底にレーザ光が照射され所望する画像がモニタ３４に表示されるように、アライメントを行う。また、検者はコントロール部３２を用いて、撮影条件を設定する。
【００３３】
検者の走査により、撮影が開始されると、制御部３０は、光源１００の制御により、特定の波長のレーザ光（例えば、赤色光）を出射させる。ホールミラー２を通過したレーザ光は、ビームスプリッタ１５１によりその一部が光軸Ｌ２に偏向され、受光部１６０へと導かれる。光軸Ｌ２上のレーザ光は、ダイクロイックミラー１６６により反射され、フィルタ１６２ａを透過した後、受光素子１６２にて受光される。受光されたレーザ光の出力が検出信号として受光素子１６２から制御部３０へと送られ、制御部３０は、赤色レーザ光の出力をモニタする。このとき、前述のように、光路で光軸ずれがあっても、光路上のレンズ１７０により光軸ずれの変位が抑制される。なお、異なる波長のレーザ光を光源部１００から出射する場合でも同様である。
【００３４】
ビームスプリッタ１５１を透過したレーザ光は、ポリゴンミラー７にて走査され、ガルバノミラー９の駆動により、さらに垂直方向（上から下）に走査される。ガルバノミラー９にて反射された近赤外のレーザ光は、眼底上に集光され２次元的に走査される。そして、眼底に集光されたレーザ光の反射光は、撮影光学系を介して受光素子１５にて受光される。
【００３５】
画像処理部３３は、走査範囲Ｈ２における眼底からの反射光によって得られる受光素子１５からの受光信号を画像データとして逐次並べ、モニタ３４の表示領域における最上部から下方に向って横方向に一列に順に表示していく。このようにして、ポリゴンミラー７の回転による、モニタ３４における一列分の画像ラインのデータが得られる。画像処理部３３は、取得した一列分の画像ラインのデータを、先に表示した一列分の画像ラインのデータの一段下の行に並べて表示する。制御部３０及び画像処理部３３は、このような処理を記憶部２５に予め記憶してある画像ライン数分だけ順次行うことにより、２次元的に走査した被検者眼眼底の撮影範囲を一枚の画像（１フレーム分の画像）としてモニタ３４に表示する。そして、制御部３０は、ガルバノミラー９を走査開始時の反射角度まで戻し、再び同じようにレーザ光を上から下に向かって走査するように駆動制御する。
【００３６】
以上のようにして、波長の異なる複数のレーザ光を用いる場合に、それぞれのパワーモニタに対するレーザ光の光軸ずれを低減し、好適な観察ができる。
【００３７】
なお、以上説明した本実施形態では、レーザ光の光源部では、異なる波長のレーザ光を出射する光源をそれぞれ配置する構成としたが、これに限るものではない。異なる波長のレーザ光が光源部より出射される構成であればよく、波長を種々変更できる単一のレーザ光源を用いる構成としてもよい。
【００３８】
なお、以上説明した本実施形態では、パワーモニタ部のビームスプリッタでレーザ光を反射させて受光部にレーザ光の一部を導光する構成としたこれに限るものではない。ビームスプリッタにて、レーザ光の一部を透過させ、受光部にレーザ光を導光する構成としてもよい。
【００３９】
なお、以上説明した本実施形態では、パワーモニタ部のビームスプリッタをホールミラー以降に配置する構成としたが、これに限るものではない。異なる波長のレーザ光を同軸とする光軸上に配置される構成であればよい。ビームスプリッタは、ホールミラーの手前（光源部側）に置かれてもよい。この場合、レーザ光はホールミラーによってビーム径を絞られていないので、受光素子で受光したレーザ光の出力を補正する必要がある。この補正は、予めホールミラー通過前と通過後のレーザ光の出力の差を記憶部に記憶しておき、この情報に基づいて制御部が受光素子からの検出信号を補正する構成とすればよい。
【図面の簡単な説明】
【００４０】
【図１】本実施形態の眼底撮影装置の光学系を示した図である。
【図２】パワーモニタ部周辺の模式的拡大図である。
【図３】本実施形態における眼底撮影装置の制御系を示したブロック図である。
【符号の説明】
【００４１】
１  光源
７  ポリゴンミラー
９  ガルバノミラー
１５  受光素子
３４  モニタ
５０  レーザ光走査部
６０  照射光学系
７０  受光光学系
１００  光源部
１５０  パワーモニタ部
【図１】
2010200898.tif 000003
【図２】
2010200898.tif 000004
【図３】
2010200898.tif 000005